(57)【特許請求の範囲】
【請求項１】
保管手段に保管された所定患者に関するレポートのうち、第１のレポートと第２のレポートとを比較して、レポート中の文字列に割り当てられた画像を特定するための識別子と当該文字列との組み合わせからなるハイパーリンクに関する変更を分析する分析手段と、
前記ハイパーリンクに関する変更の分析の結果、前記組み合わせのうちの前記文字列が変更された場合には、変更前の前記文字列及び変更後の前記文字列と、前記変更前の組み合わせを構成する識別子及び前記変更後の組み合わせを構成する識別子によって特定される画像と、を明示する差異情報を生成する差異情報生成手段と、
を具備することを特徴とする医用レポート作成支援システム。
【請求項２】
変更前の前記文字列と変更後の前記文字列とを第1の領域において並べて表示し、前記変更前の組み合わせを構成する識別子及び前記変更後の組み合わせを構成する識別子によって特定される前記画像を第２の領域において表示する表示手段をさらに具備することを特徴とする請求項１記載の医用レポート作成支援システム。
【請求項３】
前記差異情報生成手段は、前記ハイパーリンクに関する変更の分析の結果、前記組み合わせのうちの前記画像を特定するための識別子が変更された場合には、変更前の前記識別子によって特定される画像及び変更後の前記識別子によって特定される画像を明示する前記差異情報を生成し、
前記表示手段は、変更前の前記識別子によって特定される前記画像及び変更後の前記識別子によって特定される前記画像を、前記第２の領域において並べて表示することを特徴とする請求項２記載の医用レポート作成支援システム。
【請求項４】
保管手段に保管された所定患者に関するレポートのうち、第１のレポートと第２のレポートとを比較して、レポート中の文字列に割り当てられた画像を特定するための識別子と当該文字列との組み合わせからなるハイパーリンクに関する変更を分析する分析手段と、
前記ハイパーリンクに関する変更の分析の結果、前記組み合わせのうちの前記画像を特定するための識別子が変更された場合には、変更前の前記識別子によって特定される画像及び変更後の前記識別子によって特定される画像と、前記変更前の組み合わせ及び前記変更後の組み合わせを構成する文字列と、を明示する差異情報を生成する差異情報生成手段と、
を具備することを特徴とする医用レポート作成支援システム。
【請求項５】
変更前の前記識別子によって特定される前記画像及び変更後の前記識別子によって特定される前記画像を、第１の領域において並べて表示し、前記変更前の組み合わせ及び前記変更後の組み合わせを構成する前記文字列を第２の領域において表示する表示手段をさらに具備することを特徴とする請求項４記載の医用レポート作成支援システム。
【請求項６】
前記差異情報生成手段は、前記ハイパーリンクに関する変更の分析の結果、前記組み合わせのうちの前記文字列が変更された場合には、変更前の前記文字列及び変更後の前記文字列を明示する前記差異情報を生成し、
前記表示手段は、変更前の前記文字列及び変更後の前記文字列を、前記第２の領域において並べて表示することを特徴とする請求項５記載の医用レポート作成支援システム。
【請求項７】
前記分析手段は、レポート中の文字列に対する画像を特定するための識別子の新たな割り当てと、レポート中の文字列に割り当てられた画像を特定するための識別子の削除とに基づいて、ハイパーリンクの追加又は削除を分析し、
前記差異情報生成手段は、ハイパーリンクの追加又は削除を明示する前記差異情報を生成すること、
を特徴とする請求項１乃至６のうちいずれか一項記載の医用レポート作成支援システム。
【請求項８】
前記分析手段は、レポート中のキー画像の画像処理パラメータに関する変更をさらに分析し、
前記差異情報生成手段は、前記キー画像の画像処理パラメータが変更された場合には、当該キー画像の画像処理パラメータが編集されたことを明示する前記差異情報をさらに生成すること、
を特徴とする請求項１乃至７のうちいずれか一項記載の医用レポート作成支援システム。
【請求項９】
前記第２のレポートの作業者、前記第２のレポートを参照した作業者、前記第１のレポートを参照した作業者のうちの少なくともいずれかを特定する特定手段と、
前記差異情報が生成された場合には、前記特定された作業者に対して前記差異情報が存在することを通知する通知手段と、
をさらに具備することを特徴とする請求項１乃至８のうちいずれか一項記載の医用レポート作成支援システム。
【請求項１０】
前記分析手段は、前記第２のレポートの保存指示に応答して、前記分析を実行することを特徴とする請求項１乃至９のうちいずれか一項記載の医用レポート作成支援システム。
【請求項１１】
コンピュータに、
保管手段に保管された所定患者に関するレポートのうち、第１のレポートと第２のレポートとを比較して、レポート中の文字列に割り当てられた画像を特定するための識別子と当該文字列との組み合わせからなるハイパーリンクに関する変更を分析する分析機能と、
前記ハイパーリンクに関する変更の分析の結果、前記組み合わせのうちの前記文字列が変更された場合には、変更前の前記文字列及び変更後の前記文字列と、前記変更前の組み合わせを構成する識別子及び前記変更後の組み合わせを構成する識別子によって特定される画像と、を明示する差異情報を生成する差異情報生成機能と、
を実現させることを特徴とする医用レポート作成支援プログラム。
【請求項１２】
コンピュータに、
保管手段に保管された所定患者に関するレポートのうち、第１のレポートと第２のレポートとを比較して、レポート中の文字列に割り当てられた画像を特定するための識別子と当該文字列との組み合わせからなるハイパーリンクに関する変更を分析する分析機能と、
前記ハイパーリンクに関する変更の分析の結果、前記組み合わせのうちの前記画像を特定するための識別子が変更された場合には、変更前の前記識別子によって特定される画像及び変更後の前記識別子によって特定される画像と、前記変更前の組み合わせ及び前記変更後の組み合わせを構成する文字列と、を明示する差異情報を生成する差異情報生成機能と、
を実現させることを特徴とする医用レポート作成支援プログラム。
【発明の詳細な説明】
【技術分野】
【０００１】
本発明の実施形態は、医用レポート作成支援システム及び医用レポート作成支援プログラムに関する。
【背景技術】
【０００２】
近年、医療行為の専門分野は細分化されている。例えば、画像診断においては、患者の診断画像の取得、取得された診断画像の読影及びレポート作成、レポート結果に基づく診断結果や治療方針の説明、等の各作業に分割される。各作業は、各専門家（担当の医師又は担当技師）によって担当され、これら全ての作業によって、患者に対する診断等の医療行為が達成される。各専門家は、前段の作業において他の専門家が作成した情報に基づいて、且つ適宜過去の診断情報等を参照することにより、各作業を実行する。これらの作業は、例えば、診断画像を取得するＸ線ＣＴ装置、ＭＲＩ装置等の医用画像撮像装置、診断画像を保管する医用画像保管装置（ＰＡＣＳサーバ）、診断画像を読影するための医用画像観察装置より行われる。
【０００３】
すなわち、まず、被依頼医師（主治医）は、患者との問診等に基づいて検査（スタディ）オーダ（オーダシステムを利用して各種医用画像撮像装置にネットワークＮ等を介して送られる、次にしなければならない検査の要求）を作成し、検査技師に伝える。検査技師は、所定の医用画像撮像装置を用いて検査を実施し、患部に関する医用画像を取得する。放射線科の読影医は、医用レポート作成装置を用いて、検査オーダに対応した読影レポートを作成する。依頼医師は、作成されたレポートを参照して、画像診断の結果を判断し、他の情報と統合して診断を行い、治療を行うことになる。
【０００４】
ところで、近年の医用レポート作成装置では、複数の作業者により、医用レポートの作成を行うことができる。例えば、若手の読影医（一次作業者）が最初に読影を行い、一時保存レポートを作成し、次にベテランの読影医（二次作業者）がそのレポートの内容を確認し必要があれば修正を行い、確定保存を行うことができる。この様な、一時保存レポートに対して二次作業者が実施した変更の内容は、一次作業者、あるいは一時保存レポートを参照していた他の作業者にとって有用な情報であると言える。
【先行技術文献】
【特許文献】
【０００５】
【特許文献１】特開２０１０−２０４９９３号公報
【発明の概要】
【発明が解決しようとする課題】
【０００６】
しかしながら、既存の医用レポート作成装置では、その変更内容を分かり易く確実に関係作業者に伝達する仕組みが存在しない。
【０００７】
本発明は、上記事情を鑑みてなされたもので、例えば、二次作業者が一次保存レポートの内容を変更した場合には、その変更内容を分かり易く確実に関係作業者に伝達することができる医用レポート作成支援システム及び医用レポート作成支援プログラムを提供することを目的としている。
【課題を解決するための手段】
【０００８】
本実施形態に係る医用レポート作成支援システムは、保管手段に保管された所定患者に関するレポートのうち、第１のレポートと第２のレポートとを比較して、レポート中の文字列に割り当てられた画像を特定するための識別子と当該文字列との組み合わせからなるハイパーリンクに関する変更を分析する分析手段と、前記ハイパーリンクに関する変更の分析の結果、前記組み合わせのうちの前記文字列が変更された場合には、変更前の前記文字列及び変更後の前記文字列と、前記変更前の組み合わせを構成する識別子及び前記変更後の組み合わせを構成する識別子によって特定される画像と、を明示する差異情報を生成する差異情報生成手段と、を具備するものである。
【図面の簡単な説明】
【００１３】
【図１】実施形態に係る医用画像診断システムの構成を説明するための図。
【図２】本実施形態に係る医用画像観察装置のブロック構成を示した図。
【図３】本実施形態に係る医用レポート作成装置の構成を説明するためのブロック図。
【図４】本実施形態に係る医用画像保管装置の構成を説明するためのブロック図。
【図５】第１の実施形態に係る医用レポート作成支援システムに従う処理（医用レポート作成支援処理）の流れを示したフローチャート。
【図６】第１の実施形態に係る医用レポート作成支援システムに従う処理（医用レポート作成支援処理）の流れを示したフローチャートステップＳ０〜ステップＳ８までの各処理の流れを概念的に示した図。
【図７】本実施形態に係る関係作業者が医用レポート作成装置へログインした後、検査リストに修正マークを表示することで、差異伝達を行う一例を示した図。
【図８】本実施形態に係る文字列変化の提示形態の一例を示した図。
【図９】本実施形態に係る文字列変化の提示形態の他の例を示した図。
【図１０】本実施形態に係る文字列変化を提示する表示ユニットの画面の一例を示した図。
【図１１】本実施形態に係るキー画像の変化の提示形態の一例を示した図。
【図１２】本実施形態に係るキー画像の変化を提示する表示ユニットの画面の一例を示した図。
【図１３】本実施形態に係るハイパーリンクの変化の提示形態の一例を示した図。
【図１４】本実施形態に係るハイパーリンクの変化の提示形態の一例を示した図。
【図１５】本実施形態に係るハイパーリンクの変化の提示形態の一例を示した図。
【図１６】本実施形態に係るハイパーリンクの変化を提示する表示ユニットの画面の一例を示した図。
【図１７】本実施形態に係る第２の実施形態に係る医用レポート作成支援処理の流れを示したフローチャート。
【発明を実施するための形態】
【００１４】
以下、各実施形態を図面に従って説明する。なお、以下の説明において、略同一の機能及び構成を有する構成要素については、同一符号を付し、重複説明は必要な場合にのみ行う。
【００１５】
（第１の実施形態）
図１は、本実施形態に係る医用画像診断システムＳの構成を説明するための図である。同図に示すように、本医用画像診断システムＳは、医用画像撮像装置１、医用画像観察装置３、医用レポート作成装置５、医用画像保管装置７を具備している。なお、それぞれの装置はネットワークＮに接続され、互いにデータのやり取りが可能である。以下、各装置の構成について説明する。
【００１６】
［医用画像撮像装置］
医用画像撮像装置１は、主治医によって発行されるオーダに従う画像収集において使用される、Ｘ線コンピュータ断層撮影装置、磁気共鳴イメージング装置、Ｘ線診断装置、核医学診断装置、超音波診断装置等の各種装置である。医用画像撮像装置１は、その種類に拘泥されない。当該医用画像撮像装置１によって撮像された画像は、ＤＩＣＯＭフォーマットにより医用画像保管装置７へ送信される。
【００１７】
［医用画像観察装置］
医用画像観察装置３は、前記医用画像を表示する装置であり、ユーザが医用レポートを作成・編集する時、或いは参照時に使用される。なお、本医用画像観察装置３と医用レポート作成装置とは、物理的に一体の装置であってもかまわない。
【００１８】
図２は、医用画像観察装置３のブロック構成を示した図である。同図に示すように、医用画像観察装置３は、操作ユニット３０、表示ユニット３１、画像処理ユニット３２、制御ユニット３３、記憶ユニット３４、送受信ユニット３５を具備している。
【００１９】
操作ユニット３０は、キーボードや各種スイッチ、マウス、ボタン（例えば、ＧＵＩ等）等を備え、オペレータからの指示（表示、階調変更、拡大・縮小、アノテーションの追加／削除／変更等の各種指示）を入力可能な装置である。また、操作ユニット３０は、後述する医用レポート作成支援処理の実行を指示するためのＩ／Ｆ等を有する。
【００２０】
表示ユニット３１は、画像処理ユニット３２において所定の画像処理を受けた画像等を所定の形態で表示する。
【００２１】
画像処理ユニット３２は、ボリュームレンダリング、サーフェスレンダリング、多断面変換処理（ＭＰＲ：multi planar reconstruction）、最大値投影処理（ＭＩＰ：maximum intensity projection）等の所定の画像処理を行う。
【００２２】
制御ユニット３３は、本医用画像観察装置３の静的又は動的な動作を、統括的に制御する。また、制御ユニット３３は、専用プログラムを図示していないメモリに展開することで、後述する医用レポート作成支援処理を実現することも可能である。
【００２３】
記憶ユニット３４は、医用画像撮像装置１によって取得された各種医用画像（例えば、ＤＩＣＯＭ規格に従う画像）、或いは当該医用画像観察装置３において所定の画像処理が施された医用画像等を記憶する。この医用画像は、必要に応じて、検査（スタディ）、シリーズ、患者、医師等の各種管理情報によって管理される。
【００２４】
送受信ユニット３５は、医用画像保管装置７、医用画像撮像装置１より、ネットワークＮを介して観察対象となる医用画像、医用レポート作成・編集に必要な各種情報等を受信する。また、送受信ユニット３５は、画像処理ユニット３２によって画像処理を施した医用画像を、ネットワークＮを介して医用画像保管装置７へ送信する。
【００２５】
［医用レポート作成装置５］
医用レポート作成装置５は、画像診断において読影医師の所見を記録するレポートを作成・編集する際に用いられる装置である。ユーザは、医用画像観察装置３に表示される医用画像を参照し、医用レポート作成装置５の医用レポート作成画面にコメントを入力することで、医用レポートを作成、編集する。
【００２６】
図３は、医用レポート作成装置５の構成を説明するためのブロック図である。同図に示すように、医用レポート作成装置５は、操作ユニット５０、表示ユニット５１、レポートデータ処理ユニット５２、制御ユニット５３、記憶ユニット５４、送受信ユニット５５を具備している。
【００２７】
操作ユニット５０は、キーボードや各種スイッチ、マウス等を備え、検査の医用レポートの表示指示、レポート作成画面を操作するためのキー入力等を操作者が入力するための装置である。
【００２８】
表示ユニット５１は、各種医用画像撮像装置１で取得された画像、レポート作成・編集画面、当該レポート作成装置５において作成されたレポート、医用画像保管装置７から受け取った過去のレポート、後述する医用レポート作成支援処理において取得される差異情報等を、所定の形態で表示する。
【００２９】
レポートデータ処理ユニット５２は、操作ユニット５０からの入力に従って医用レポートを作成・編集する。ここで、医用レポートの編集とは、医用レポートに含まれるキー画像（診断の根拠とされる画像）、コメント、ハイパーリンクについて、追加、削除、変更等を行うことを意味する。
【００３０】
制御ユニット５３は、当該医用レポート作成装置５の動作を統括的に制御する。特に、制御ユニット５３は、専用プログラムを図示していないメモリに展開することで、後述する医用レポート作成支援処理を実行する。
【００３１】
記憶ユニット５４は、過去に作成されたレポート、現在作成中のバックアップとしてのレポート等を記憶する。また、記憶ユニット５４は、後述する医用レポート作成支援システムを実現するための専用プログラムを格納する。
【００３２】
送受信ユニット５５は、医用画像保管装置７より、ネットワークＮを介して編集対象となる過去の医用レポート、医用レポート作成・編集に必要な各種情報等を受信する。また、送受信ユニット５５は、レポートデータ処理ユニット５２によって作成、編集されたレポートを、ネットワークＮを介して医用画像保管装置７へ送信する。
【００３３】
［医用画像保管装置］
医用画像保管装置７は、医用画像撮像装置１によって収集された画像を格納し、データベース等の管理情報上に登録し管理及び保管する。また、医用画像保管装置７は、医用レポート作成装置５において作成された医用レポートを保管し、管理情報に従って管理する。さらに、医用画像保管装置７は、後述する医用レポート作成支援処理において、差異の分析、差異情報の生成等を行う。
【００３４】
図４は、医用画像保管装置７の構成を説明するためのブロック図である。同図に示すように、医用画像保管装置７は、画像データベース７０、レポートデータベース７１、記憶ユニット７２、差異情報生成ユニット７３、制御ユニット７４、送受信ユニット７５を具備している。
【００３５】
画像データベース７０は、医用画像撮像装置１によって取得された画像、医用画像観察装置３において画像処理を施された画像等を、ネットワークＮを介して受け取り、管理情報に基づいて保管し管理する。
【００３６】
レポートデータベース７１は、医用レポート作成装置５において作成・編集された医用レポートをネットワークＮを介して受け取り、所定の属性（作業者、患者、検査種等）に基づいて保管し管理する。なお、医用レポートには、第１版、第２版など改訂（改版）された順番を示す概念である「版」が存在する（すなわち、版の番号が小さいものほど時間的に古い（過去の）レポートとなり、版の番号が大きいものほど時間的に新しいレポートとなる）。当該レポートデータベース７１は、医用レポートの全ての版の情報を保管する。
【００３７】
記憶ユニット７２は、後述する医用レポート作成支援処理を実現するための専用プログラムを格納する。
【００３８】
差異情報生成ユニット７３は、作業終了通知後に受信する最新の医用レポートデータと、レポートＤＢに保管してある旧版の（過去の）レポートデータとを比較し、差異情報を分析する。例えば、差異情報生成ユニット７３は、医用レポートの文字列、医用レポートに添付されているキー画像、医用レポートの文字列に張られているハイパーリンクについて差異を分析する。
【００３９】
制御ユニット７４は、医用画像保管装置７の動作を統括的に制御する。また、制御ユニット７４は、管理情報に基づいて、画像データベース７０に保管された画像、レポートデータベース７１に保管された医用レポート等の検索を行う。さらに、制御ユニット７４は、専用プログラムを図示していないメモリに展開することで、レポート作成・編集アプリケーション、後述する医用レポート作成支援処理等を実現する。
【００４０】
送受信ユニット７５は、要求に応じて、読影診断、医用レポート作成に必要な情報、過去のレポート、過去の医用画像等を、ネットワークＮを介して医用画像観察装置３、医用レポート作成装置５に送信する。
【００４１】
（医用レポート作成支援システム）
次に、医用レポート作成支援システムについて説明する。この医用レポート作成支援システムは、複数の作業者により、医用レポートの作成、編集を行う場合に、所定のレポートと当該所定のレポートよりも版番号の小さい（時間的に古い）レポートとの差異を分析し、差異情報を生成して作業者に分かり易く確実に伝達するものである。
【００４２】
なお、本実施形態では、説明を具体的にするため、例えば、二次作業者としてのベテラン読影医が一次作業者としての若手読影医が作成した一時保存レポートの内容を編集する場合を想定する。係る場合において、二次作業者の編集処理によって作成された医用レポートと、一次作業者によって作成された医用レポートとを比較し、二つの医用レポート間の差異を分析し、差異が存在する場合には、差異情報を生成して関係作業者に伝達する。
【００４３】
図５は、本医用レポート作成支援システムが実行する処理（医用レポート作成支援処理）の流れを示したフローチャートである。以下、同フローチャートを用いて、医用レポート作成支援処理において実行される各処理の具体的内容について説明する。
【００４４】
まず、操作ユニット５０を介して、一次作業者から一次レポート作成開始指示が入力されると、レポートデータ処理ユニット５２は、レポート作成・編集アプリケーションを起動する（ステップＳ０）。ここで、一次作業者とは、当該検査に関する最初の（一次の）レポートを作成する若手読影医等を意味する。制御ユニット５３は、同アプリケーションに従って操作ユニット５０を介して一次作業者から入力される指示に応答して、医用レポートを作成する（ステップＳ１）。この医用レポートの作成作業においては、例えば、所見、コメント等の文字列の記入、キー画像の挿入（添付）、所定の画像や情報へのハイパーリンク等が実行される。
【００４５】
次に、レポートの作成作業が終了すると、一次作業者によって、操作ユニット５０を介して保存指示が入力される。レポートデータ処理ユニット５２は、当該保存指示（例えば、明示的な保存指示、レポートファイルを閉じる指示等）に応答して、作成されたレポートを「第１版レポート」として確定し、ネットワークＮを介して当該第１版レポートを医用画像保管装置７に送信する（ステップＳ２）。医用画像保管装置１の制御ユニット７４は、送受信ユニット７５を介して受信した第１版レポートを受信すると、当該第１版レポートをレポートデータベース内に保存する（ステップＳ３）。
【００４６】
次に、所望のタイミングにおいて、操作ユニット５０を介して、二次作業者から当該患者の第１版レポートの編集開始指示が入力されると、レポートデータ処理ユニット５２は、レポート作成・編集アプリケーションを起動すると共に、ネットワークＮを介して医用画像保管装置７に対し、当該患者の第１版レポートを要求する（ステップＳ４）。ここで、二次作業者とは、一次作業者によって作成された「第１版レポート」に対してさらなる編集作業を実行し、第２版レポートを作成するベテランの読影医を意味する。医用画像保管装置７の制御ユニット７４は、レポートデータベース７１を検索して当該患者の第１版レポートを読み出し、ネットワークＮを介して医用レポート作成装置５に送信する（ステップＳ５）。
【００４７】
医用レポート作成装置５のレポートデータ処理ユニット５２は、ネットワークＮを介して医用画像保管装置７より第１版レポートを受け取ると、操作ユニット５０を介して二次作業者から入力される指示に応答して、第１版レポートの編集処理を実行する（ステップＳ６）。この医用レポートの編集作業においては、例えば、所見、コメント等の文字列の追記、変更、削除、キー画像の削除、追加、変更、画像処理方法の変更、所定の画像や情報へのハイパーリンクの追加、削除、変更等が実行される。当該編集処理が終了すると、二次作業者によって、操作ユニット５０を介して保存指示が入力される。レポートデータ処理ユニット５２は、当該保存指示に応答して、第１版レポートに対する編集処理が終了した当該レポートを「第２版レポート」として確定し、ネットワークＮを介して当該第２版レポートを医用画像保管装置７に送信する（ステップＳ７）。医用画像保管装置１の制御ユニット７４は、送受信ユニット７５を介して受信した第２版レポートを受信すると、当該第２版レポートをレポートデータベース７１内に保存する（ステップＳ８）。
【００４８】
なお、以上述べたステップＳ０〜ステップＳ８までの各処理の流れを、図６に概念的に示した。
【００４９】
次に、医用画像保管装置７の差異情報生成ユニット７３は、レポート間の差異分析処理を実行する（ステップＳ９）。この差異分析処理は、例えば保存用のレポートを医用レポート作成装置５から受け取ったことをトリガとして、最新版レポートと、それ以前の旧版レポート（過去のレポート）とを用いて実行される。本実施形態では、第１版レポートと第２版レポートとを用いた差異分析処理となる。
【００５０】
すなわち、差異情報生成ユニット７３は、保存のための第２版レポート（すなわち、最新の医用レポート）を受け取ると、レポートデータベース７１に保管された第１版レポート（すなわち、旧版レポート）を読み出し、当該第２版レポートと第１版レポートとを比較し、両者の間の差異を分析する。この差異の分析は、例えば文字列の差異の分析、キー画像の差異の分析、ハイパーリンクの差異の分析に分類することができる。以下、各分析処理の内容について説明する。
【００５１】
（ステップＳ９ａ：文字列の差異の分析）
差異情報生成ユニット７３は、第１版レポートに含まれる文字列と第２版レポートに含まれる文字列との差異の判定、第２版レポートに存在し第１版レポートに存在しない文字列（すなわち、編集前の第１版レポートに対して追記された文字）の判定、第１版レポートに存在し第２版レポートに存在しない文字列（すなわち、編集前の第１版レポートから削除された文字）の判定を実行する。なお、例えば２つの記号列が与えられた時、その記号列の差異を抽出する公知のアルゴリズム（２つの文字列の一方を他方へ変換するための最小手数”Shortest Edit Script”を求めるアルゴリズムなど）を採用することができる。
【００５２】
（ステップＳ９ｂ：キー画像の差異の分析）
差異情報生成ユニット７３は、第１版レポートに含まれるキー画像と第２版レポートに含まれるキー画像との差異の判定、第２版レポートに存在し第１版レポートに存在しないキー画像（すなわち、編集前の第１版レポートに対して追加されたキー画像）の判定、第１版レポートに存在し第２版レポートに存在しないキー画像（すなわち、編集前の第１版レポートから削除されたキー画像）の判定を実行する。なお、キー画像の差異の判定においては、第１版レポートに添付されたキー画像に対する画像処理方法の変更（階調変更、拡大縮小、アノテーション、計測処理等）についても判定する。
【００５３】
キー画像の差異の分析は、２つのキー画像の集合の差を分析することにより得る。具体的には、以下の処理を実行する。
【００５４】
キー画像の集合を、Imageを画像、PをImageに対する画像処理パラメータの集合として、以下の通り定義する。
【００５５】
キー画像 K = (Image, P)
また、画像処理パラメータの集合Pを次の様に定義する。
【００５６】
画像処理パラメータの集合 P = {p_k|k=1…x}
ここで、各p_xは画像処理の種類と値の組であり、例えば、P_1=｛”拡大率=75%”、”回転=25℃”｝等の情報である。
【００５７】
さらに、キー画像の集合Iを次のように定義する。
【００５８】
キー画像の集合 I = {(Image_i,P_j)|i=1…y,j=1…z}
この時、２つのキー画像の集合I（第１版レポートのキー画像の集合）、I’（第２版レポートのキー画像の集合）とについて、例えば以下の（１）〜（５）の基準に従って分析を行う。
【００５９】
（１）I=I’であればキー画像に差異はない。
【００６０】
（２）Iに含まれる(Image_i,P_j)がI’にも含まれる場合、(Image_i,P_j)_は編集が行われていないキー画像である。
【００６１】
（３）Iに含まれるImage_iが、I’に含まれない場合、(Image_i,P_j)はIから削除されたキー画像である。
【００６２】
（４）I’に含まれるImage_iが、Iに含まれない場合、(Image_i,P_j)はIに対して追加されたキー画像である。
【００６３】
（５）Iに含まれるImage_iがI’に含まれ、Image_iと組みになっているP_jが異なる場合、Image_iは画像処理方法が変更されたキー画像である。
【００６４】
なお、上記例では、キー画像を、画像と画像処理パラメータの組から構成されると定義したが、画像のみから為ると定義してもよい。その場合、キー画像の差異は、キー画像の追加、削除のみとなる（すなわち、画像処理方法や画像処理パラメータの変更は、キー画像の差異としてみなされない）。
【００６５】
（ステップＳ９ｃ：ハイパーリンクの差異）
ハイパーリンクの差異は、編集前のレポートに対して、追加されたハイパーリンク、削除されたハイパーリンク、ハイパーリンクに対する画像の置換、画像等にハイパーリンクされている文字列の変化の有無を特定する。
【００６６】
まず、ハイパーリンクをハイパーリンクが貼られた文字列STRINGと、ハイパーリンク先を示す識別子URIとの組(URI,STRING)として定義する。このとき、第１版レポートにおけるハイパーリンクの集合L、及び第２版レポートのハイパーリンクの集合L’を、それぞれ次の通り定義する。
【００６７】
第１版レポートのハイパーリンクの集合L = {(URI_i,STRING_j)|i=1…s, j=1…t}
第２版レポートのハイパーリンクの集合L’ = {(URI’_k,STRING’_l)|k=1…x, l=1…y}
第１版レポートに対して追加されたハイパーリンク、削除されたハイパーリンク、ハイパーリンクに対する画像の置換、ハイパーリンクされている文字列の変化を、例えば以下の（１）〜（１０）の基準に従って分析する。
【００６８】
（１）Lに含まれるハイパーリンク(URI_m,STRING_n)に対して、STRING_nと同じ文字列を持つハイパーリンクがL’に存在するか否かをチェックする。
【００６９】
（２）STRING_nと同じ文字列を持つハイパーリンクがL’に存在する場合、そのハイパーリンクを(URI’_m,STRING_n)とし、URI_mがURI’_mと同じであるか否かをチェックする。
【００７０】
（３）上記（２）にてURI_m＝URI’_mである場合、(URI_m,STRING_n)=(URI’_m,STRING_n)となり、２つのハイパーリンクに差異は無い。
【００７１】
（４）上記（２）にてURI_m≠URI’_mである場合、(URI’_m,STRING_n)は、編集前レポートのハイパーリンク(URI_m,STRING_n)に対して、画像が置換されたハイパーリンクであるとする。
【００７２】
（５）Lに含まれるハイパーリンク(URI_m,STRING_n)に対して、URI_mと同じURIを持つハイパーリンクがL’に存在するか否かをチェックする。
【００７３】
（６）URI_mと同じURIを持つハイパーリンクがL’に存在する場合、そのハイパーリンクを(URI_m,STRING’_n)とし、STRING_nがSTRING’_nと同じであるか否かをチェックする。
【００７４】
（７）上記（６）にてSTRING_n=STRING’_nである場合、(URI_m,STRING_n)=(URI_m,STRING’_n)となり、２つのハイパーリンクに差異はない。
【００７５】
（８）上記（６）にてSTRING_n≠STRING’_nである場合、(URI_m,STRING’_n)は、編集前レポートのハイパーリンク(URI_m,STRING_N)に対して、ハイパーリンク文字列が編集されたハイパーリンクであるとする。
【００７６】
（９）L’に含まれるハイパーリンクのうち、上記（１）且つ（５）のどちらのチェックにもマッチしなかったハイパーリンクを、編集前レポートに対して追加されたハイパーリンクであるとする。
【００７７】
（１０）Lに含まれるハイパーリンクのうち、上記（１）且つ（５）のどちらのチェックでも、マッチするハイパーリンクがL’に存在しなかったハイパーリンクを、編集前レポートに対して削除されたハイパーリンクであるとする。
【００７８】
なお、ハイパーリンクは、一つの文字列に対して複数の画像をリンクすることも可能である。このとき、ハイパーリンクの定義を以下の様に拡張することで、先のアルゴリズムを拡張し、ハイパーリンクに対する画像追加、画像の削除を抽出できるようにしてもよい。
【００７９】
(URI_SET,STRING)
URI_SET = {URI_i|i=1…x}
次に、差異情報生成ユニット７３は、第１版レポート、第２版レポートのそれぞれについての作業者特定処理を実行する（ステップＳ１０）。ここで、作業者特定処理とは、ある医用レポートの特定の版に対して、その版の作成に関わった作業者を特定するものである。また、ある医用レポートdの特定の版eの作成に関わった作業者（関係作業者）の集合Wを以下の通り定義する。
【００８０】
W = {w_dei|dのe以前の版に対して作業終了通知を行った（レポートの編集、レポートの参照を行なった）作業者i（i=1〜x）。}
差異情報生成ユニット７３は、関係作業者の集合Wに基づいて、差異情報を伝達する関係作業者を特定する。
【００８１】
なお、関係作業者の定義は、上記例に拘泥されない。例えば、作業終了通知を行った全ての作業者を関係作業者とせず、例えば保存指示を行った作業者のみを関係作業者としてもよい。
【００８２】
次に、差異情報生成ユニット７３は、差異分析処理によって判定された文字列、キー画像、ハイパーリンクについての差異を関係作業者に明示するための差異情報を生成し、第２版レポートの付帯情報としてレポートデータベース７１に記憶する（ステップＳ１１）。この差異情報は、例えば、後述するように、第１版レポートに対する第２版レポートの差異がわかるような形態にて生成される。差異情報の具体的な形態については、ステップＳ１５の内容と共に後述する。
【００８３】
次に、差異情報生成ユニット７３は、関係作業者に対して、レポート差異情報が存在することを通知するための情報（修正通知）を生成し、医用レポート作成装置５に送信する（ステップＳ１２）。この修正通知の送信は、例えば差異情報が生成されたことをトリガとして実行される。修正通知があるということを、関係作業者が医用レポート作成装置７へログインした後、検査リストに修正マークとして表示する例を図７に示した。
【００８４】
次に、関係作業者の医用レポート作成装置５へのログイン後、関係作業者からの修正通知の伝達を受けて、任意のタイミングにおいて差異情報の要求指示が医用画像保管装置７に対して送信される（ステップＳ１３）。医用画像保管装置７は、当該要求を受けて、レポートデータベース７１を検索して第２版レポートを読み出し、ネットワークＮを介して医用レポート作成装置５に送信する（ステップＳ１４）。
【００８５】
医用レポート作成装置５のレポートデータ処理ユニット５２は、医用画像保管装置７からネットワークＮを介して第２版レポートを受信し、当該第２版レポートの付帯情報として記憶されている差異情報を所定の形態にて提示する（ステップＳ１５）。以下、具体的な提示形態例について説明する。
【００８６】
（文字列変化の提示形態）
文字列変化の提示（表示）は、編集前のレポートに対して追記された文字、削除された文字を差分表示するものである。差異分析処理の結果から、例えば、図８に示すような差分表示を行なう。同図において、取消線が引かれている文字列は、編集前のレポートから削除された文字列である。また、その他の赤字で表示されている文字列は、編集前のレポートに追記された文字列である。
【００８７】
図８では、文字単位によって取消線を引く例を示した。しかしながら、当該例に拘泥されず、取消線は、単語単位であっても、文字単位であってもよい。例えば文章単位で取消線を引く場合には、上記例の文字列差分表示は図９に示すようになる。
【００８８】
なお、図８、図９に示した文字列変化の提示は、医用レポート作成装置５の表示ユニット５１において、例えば図１０に示すような形態で表示することができる。
【００８９】
（キー画像の変化）
キー画像の変化の表示では、編集前の第１版レポートに対して、追加されたキー画像、削除されたキー画像、編集前のキー画像に対する編集（階調変更、拡大縮小など）の有無を区別し表示する。
【００９０】
図１１、図１２は、キー画像の変化の提示形態の一例を示した図である。各図の例では、画像の枠線の種類を区別することで、編集なし画像（表示された画像が編集処理を受けていない画像）、追加画像（第１版レポートに対して追加された画像）、削除画像（第１版レポートから削除された画像）、編集画像（パラメータ等が変更された画像）のいずれであるかを区別している。当然ながら、画像の枠線の種類のみならず、枠線の色や所定の標識によって各種画像を区別するようにしてもよい。また、編集画像については、編集前画像と編集後画像とを並べて表示するようにしてもよい。
【００９１】
（ハイパーリンクの変化）
ハイパーリンクの変化の表示は、編集前の第１版レポートに対して、追加されたハイパーリンク、削除されたハイパーリンク、ハイパーリンクに対する画像の置換、ハイパーリンクされている文字列（ハイパーリンクを割り当てた文字列）の変化を区別し表示するものである。
【００９２】
図１３は、ハイパーリンクされている画像が第１版レポートと第２版レポートとの間で同一であるが、ハイパーリンクされている文字列が異なる場合である。同図の例では、画像１にハイパーリンクする文字列を「気管支透亮像」から「空洞」に変更する編集処理が実行されたことを、ハイパーリンクの変化として明示している。
【００９３】
図１４は、ハイパーリンク文字列は同一で、ハイパーリンクされている画像が異なる場合の例を示している。同図の例では、文字列「コンソリデーション」のハイパーリンク先を「画像２」から「画像３」に変更（置換）する編集処理が実行されたことを、ハイパーリンクの変化として明示している。なお、図１４においては、図１１、１２と同様に、画像の枠線の種類を区別することで、編集なし画像、追加画像、削除画像、編集画像のいずれであるかを区別している。
【００９４】
図１５は、ハイパーリンクが追加又は削除された場合のハイパーリンクの変化を説明するための図である。同図の例では、文字列「右肺上葉」に対して新たに画像４へのハイパーリンクを割り当てたことを、例えば画像４の枠線を青色表示することで、ハイパーリンクの変化として明示している。また、文字列「右肺上葉」に対して割り当てられた画像４へのハイパーリンクを削除した場合には、例えば画像４の枠線を赤色表示することで、ハイパーリンクの変化として明示することができる。
【００９５】
なお、図１３、図１４、図１５に示したハイパーリンクの変化の提示は、医用レポート作成装置５の表示ユニット５１において、例えば図１６に示すような形態で表示することができる。
【００９６】
（効果）
以上述べた本実施形態における医用レポート作成支援システムによれば、複数の作業者により、医用レポートの作成、編集を行う場合に、所定のレポートと当該所定のレポートよりも版番号の小さい（時間的に古い）レポートとの差異を分析し、差異情報を生成して作業者に分かり易く確実に伝達することができる。例えば、二次作業者としてのベテラン読影医が一次作業者としての若手読影医が作成した一時保存レポートの内容を編集した場合においては、二次作業者の編集処理によって作成された医用レポートと、一次作業者によって作成された医用レポートとを分析する。分析の結果、二つの医用レポート間に差異が存在する場合には、差異情報を生成して関係作業者に伝達する。関係作業者は、伝達された差異情報を観察することで、第１版レポートに対する変更を迅速且つ簡便に認識することができる。その結果、例えば一次作業者は、伝達された差異情報を今後の読影業務に活用することができ、画像診断の質の向上に寄与することができる。
【００９７】
（第２の実施形態）
第１の実施形態では、第２版レポートの保存等をトリガとして差異分析処理を実行する場合の例を示した。これに対し、第２の実施形態に係る医用レポート作成支援システムは、医用レポート作成装置５のレポートデータ処理ユニット５２に差異情報生成ユニット７３の機能を持たせ、例えば第２版レポートと第１版レポートとの違いを見たい任意のタイミングで、差異分析処理を動的に実行するものである。
【００９８】
図１７は、第２の実施形態に係る医用レポート作成支援処理の流れを示したフローチャートである。同図に示すフローチャートが適用される典型的な状況としては、例えば、医用レポート作成装置５において二次作業者（或いは三次以上の作業者）が第２版レポートを観察している際に、第１版レポートと第２版レポートとの差異を確認したい場合等である。
【００９９】
図１７に示すように、第２版レポート観察中の任意のタイミングにおいて、医用レポート作成支援処理の実行が操作ユニット５０を介して入力されると、レポートデータ作成ユニット５２は、図５に示したステップＳ９と同様の差異分析処理を実行する（ステップＳ２０）。
【０１００】
次に、差異情報生成ユニット７３は、差異分析処理によって判定された文字列、キー画像、ハイパーリンクについての差異を関係作業者に明示するための差異情報を生成し（ステップＳ２１）、ステップＳ１５で示した形態にて差異情報を提示する（ステップＳ２２）。二次作業者は、提示された差異情報を観察することで、第１版レポートに対する第２版レポートの差異を容易に視認することができる。
【０１０１】
なお、提示された差異情報を保存したい場合には、操作ユニット５０から所定の指示を入力することで、差異情報を付帯情報とする第２版レポートがネットワークＮを介して医用画像保管装置７に送信される（ステップＳ２３）。制御ユニット７４は、差異情報を付帯情報とする第２版レポートをレポートデータベース７１に保存する（ステップＳ２４）。
【０１０２】
以上述べた構成によれば、第１の実施形態に係る医用レポート作成処理を、柔軟に実行することができる。
【０１０３】
なお、ステップＳ２４において第２版レポートの付帯情報として保存される差異情報（第１の差異情報）と、当該第１の差異情報の生成・保存後、任意のタイミングで新たに生成される第１版レポートと第２版レポートとの差異情報（第２の差異情報）とを比較検証する比較検証ユニットを更に備えるようにしてもよい。係る構成は、例えばいずれかのレポートが書き換え権限のない第三者によって不正に書き換えられた場合に、その事実を確実に発見し通知するものである。
【０１０４】
例えば、第１版、第２版のレポートがステップＳ２４において記憶された後、悪意を持った第３者により第１版、第２版のいずれかについて任意のタイミングで上書きが実施された場合を想定する。係る場合には、前述の第１の差異情報と第２の差異情報との間に相違が発生し、且つ不正に書き換えられたレポート及び差異情報が時間的に新しくなる。従って、不正書き換えの事実を把握することができない場合には、当該不正書き換え後のレポート或いは差異情報を利用することになるという問題が発生する。
【０１０５】
比較検証ユニットは、任意のタイミングで、第１版レポートと第２版レポートとの検証用差異情報を生成する。比較検証ユニットは、生成した検証用差異情報とすでに保存されている差異情報のうち最新の差異情報とを比較し、両者の間で差異が存在するか否かを検証する。医用レポート作成支援システムは、比較検証ユニットの相違検知に基づいて、第三者によるレポートの上書きが行われた旨の通知を操作者に通知することができる。なお、比較検証ユニットの前述の比較検証動作は、レポートの閲覧要求が届いた際に実施してもよいし、あらかじめ設定された所定のタイミングで（例えば定期的に）装置側が実施するようにしてもよい。
【０１０６】
このような機能を有することで、医療データの改ざん行為を検知することが可能となり、データの信頼性のさらなる向上を図ることが可能となる。
【０１０７】
（第３の実施形態）
第１の実施形態、及び第２の実施形態では、差異情報生成ユニット７３の差異分析処理によって判定された、文字列、キー画像、ハイパーリンクについての差異情報を、第２版レポートの付帯情報としてレポートデータベース７１に記憶している。しかしながら、この差異情報は必ずしも記憶される必要はない。作業者から差異情報の提示を求められた際に、その都度、差異情報を分析し作業者に提示し、その後、その情報を記憶せずに廃棄してもよい。
【０１０８】
なお、上記各実施形態そのままに限定されるものではなく、実施段階ではその要旨を逸脱しない範囲で構成要素を変形して具体化できる。具体的な変形例としては、例えば次のようなものがある。
【０１０９】
（１）上記各実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記録媒体に格納して頒布することも可能である。
【０１１０】
（２）また、上記各実施形態に係る医用レポート作成支援システムは、例えば、医用画像保管装置７に設けられた画像データベース７０、レポートデータベース７１、差異情報生成ユニット７３等によって実現される。しかしながら、当該例に拘泥されることなく、本医用レポート作成支援システムは、例えば医用レポート作成装置５、医用画像観察装置３においても、対象とする画像データ及び医用レポートデータを保管し、差異情報生成ユニット７３等を機能を持たせることで、実現することができる。
【０１１１】
本発明のいくつかの実施形態を説明したが、これらの実施形態は、例として提示したものであり、発明の範囲を限定することを意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１１２】
１…医用画像撮像装置、３…医用画像観察装置、５…医用レポート作成装置、７…医用画像保管装置、３０…操作ユニット、３１…表示ユニット、３２…画像処理ユニット、３３…制御ユニット、３４…記憶ユニット、３５…送受信ユニット、５０…操作ユニット、５１…表示ユニット、５２…レポートデータ処理ユニット、５３…制御ユニット、５４…記憶ユニット、５５…送受信ユニット、７０…画像データベース、７１…レポートデータベース、７２…操作ユニット、７３…差異情報生成ユニット、７４…制御ユニット、７５…送受信ユニット、Ｓ…医用画像診断システム、Ｎ…ネットワークＮ
【図１】
0005945860.tif 000002
【図２】
0005945860.tif 000003
【図３】
0005945860.tif 000004
【図４】
0005945860.tif 000005
【図５】
0005945860.tif 000006
【図６】
0005945860.tif 000007
【図７】
0005945860.tif 000008
【図８】
0005945860.tif 000009
【図９】
0005945860.tif 000010
【図１０】
0005945860.tif 000011
【図１１】
0005945860.tif 000012
【図１２】
0005945860.tif 000013
【図１３】
0005945860.tif 000014
【図１４】
0005945860.tif 000015
【図１５】
0005945860.tif 000016
【図１６】
0005945860.tif 000017
【図１７】
0005945860.tif 000018